【手続補正書】
【提出日】平成18年10月25日(2006.10.25)
【手続補正１】
【補正対象書類名】明細書
【補正対象項目名】発明の名称
【補正方法】変更
【補正の内容】
【発明の名称】情報記録再生装置と情報記録再生方法と情報記録再生処理プログラムを記録したコンピュータ読み取り可能な記録媒体とシステム
【手続補正２】
【補正対象書類名】明細書
【補正対象項目名】特許請求の範囲
【補正方法】変更
【補正の内容】
【特許請求の範囲】
【請求項１】  記録媒体に記録された情報を再生する情報再生手段と、情報を入力する情報入力手段と、前記情報再生手段によって再生された情報を出力前に一時的に蓄える出力情報一時記憶領域と前記情報入力手段によって入力された情報を記録前に一時的に蓄える記録情報一時記憶領域とを有する情報記憶手段と、前記出力情報一時記憶領域に蓄えられた情報を出力する情報出力手段と、前記記録情報一時記憶領域に蓄えられた情報を前記記録媒体に記録する情報記録手段と、
前記出力情報一時記憶領域からの情報の読み出しが途切れないように前記出力情報一時記憶領域に常に所定量の情報が残るようにしながら前記情報出力手段が情報を出力する速度よりも速く且つ断続的に前記記録媒体の情報を再生し、前記記録情報一時記憶領域への情報の書き込みが出来なくならないように前記記録情報一時記憶領域に常に所定量の空き領域を保つようにしながら前記情報入力手段が情報を入力する速度よりも速く且つ断続的に前記記録媒体に情報を記録して、前記記録媒体の情報を再生しながら前記記録媒体への情報の記録を行う情報記録再生制御手段とを備えたことを特徴とする情報記録再生装置。
【請求項２】  記録媒体に記録された情報を再生する情報再生手段と、該手段によって再生された情報を出力前に一時的に蓄える出力情報一時記憶手段と、該手段に蓄えられた情報を出力する情報出力手段と、
情報を入力する情報入力手段と、該手段によって入力された情報を記録前に一時的に蓄える記録情報一時記憶手段と、該手段に蓄えられた情報を前記記録媒体に記録する情報記録手段と、
前記出力情報一時記憶手段からの情報の読み出しが途切れないように前記出力情報一時記憶手段に常に所定量の情報が残るようにしながら前記情報出力手段が情報を出力する速度よりも速く且つ断続的に前記記録媒体の情報を再生し、前記記録情報一時記憶手段への情報の書き込みが出来なくならないように前記記録情報一時記憶手段に常に所定量の空き領域を保つようにしながら前記情報入力手段が情報を入力する速度よりも速く且つ断続的に前記記録媒体に情報を記録して、前記記録媒体の情報を再生しながら前記記録媒体への情報の記録を行う情報記録再生制御手段とを備えたことを特徴とする情報記録再生装置。
【請求項３】  請求項１又は２に記載の情報記録再生装置において、
前記情報記録手段による前記記録媒体への情報の記録先領域を前記再生した情報の格納領域とは異ならせる手段を設けたことを特徴とする情報記録再生装置。
【請求項４】  請求項１又は２に記載の情報記録再生装置において、
前記情報記録手段による前記記録媒体への情報の記録先領域を前記再生した情報の格納領域と同一にさせる手段を設けたことを特徴とする情報記録再生装置。
【請求項５】  記録媒体に記録された情報を再生し、その再生された情報を出力情報一時記憶領域に一時的に蓄えてから外部へ出力し、情報を入力し、その入力された情報を記録情報一時記憶領域に一時的に蓄えてから前記記録媒体に記録して前記記録媒体の情報を再生しながら前記記録媒体への情報の記録を行うとき、前記出力情報一時記憶領域からの情報の読み出しが途切れないように前記出力情報一時記憶領域に常に所定量の情報が残るようにしながら前記情報を出力する速度よりも速く且つ断続的に前記記録媒体の情報を再生し、前記記録情報一時記憶領域への情報の書き込みが出来なくならないように前記記録情報一時記憶領域に常に所定量の空き領域を保つようにしながら前記情報を入力する速度よりも速く且つ断続的に前記記録媒体に情報を記録することを特徴とする情報記録再生方法。
【請求項６】  請求項５記載の情報記録再生方法において、
前記記録媒体への情報の記録先領域を前記再生した情報の格納領域とは異ならせることを特徴とする情報記録再生方法。
【請求項７】  請求項５記載の情報記録再生方法において、
前記記録媒体への情報の記録先領域を前記再生した情報の格納領域と同一にさせることを特徴とする情報記録再生方法。
【請求項８】  記録媒体に記録された情報を再生する情報再生機能と、情報を入力する情報入力機能と、前記情報再生機能によって再生された情報を出力前に出力情報一時記憶領域へ一時的に蓄え、前記情報入力機能によって入力された情報を記録前に記録情報一時記憶領域へ一時的に蓄える情報記憶機能と、前記出力情報一時記憶領域に蓄えた情報を出力する情報出力機能と、前記記録情報一時記憶領域に蓄えた情報を前記記録媒体に記録する情報記録機能と、前記出力情報一時記憶領域からの情報の読み出しが途切れないように前記出力情報一時記憶領域に常に所定量の情報が残るようにしながら前記情報を出力する速度よりも速く且つ断続的に前記記録媒体の情報を再生し、前記記録情報一時記憶領域への情報の書き込みが出来なくならないように前記記録情報一時記憶領域に常に所定量の空き領域を保つようにしながら前記情報を入力する速度よりも速く且つ断続的に前記記録媒体に情報を記録し、前記記録媒体の情報を再生しながら前記記録媒体への情報の記録を行い、前記記録媒体への情報の記録先領域を前記再生した情報の格納領域とは異ならせ、又は前記記録媒体への情報の記録先領域を前記再生した情報の格納領域と同一にさせる情報記録再生制御機能とをコンピュータに実現させる情報記録再生処理プログラムを記録したコンピュータ読み取り可能な記録媒体。
【請求項９】
入力される情報を一時的に蓄積するバッファメモリと、前記バッファメモリと接続され、記録媒体に対する情報の再生及び記録を兼用する情報再生記録部と、前記情報再生記録部を制御するコントローラとを備え、前記記録媒体から情報を再生する場合、前記情報再生記録部で読み取った情報は前記バッファメモリに一時的に入力された後出力され、前記記録媒体に情報を記録する場合、情報は前記バッファメモリに一時的に蓄積された後、前記情報再生記録部に出力されて前記記録媒体に情報の記録が行われる情報記録再生装置であって、
前記記録媒体からの情報再生時に前記情報再生記録部から前記バッファメモリへ入力されるデータの転送速度が前記バッファメモリから出力されるデータの転送速度よりも速く、前記記録媒体に対する情報記録時に前記バッファメモリから前記情報再生記録部へ出力されるデータの転送速度が前記バッファメモリに入力されるデータの転送速度よりも速い場合、前記コントローラは、断続的に前記記録媒体に対する連続する情報の記録を行う動作及び前記記録媒体に対する情報の記録が行われていないときに行われる前記記録媒体からの連続する情報を再生する動作を繰り返し行わせ、前記記録媒体に対する情報の再生及び記録を行わないウエイト状態のときでも、前記バッファメモリからのデータの出力を継続して行い、同一の前記記録媒体に対する情報の再生及び記録を同時期に実行することを特徴とする情報記録再生装置。
【請求項１０】
前記バッファメモリは、前記記録媒体に対する情報の再生時及び記録時においてそれぞれ異なる領域が使用されることを特徴とする請求項９記載の情報記録再生装置。
【請求項１１】
前記バッファメモリは、前記記録媒体に対する情報の再生時に用いられる出力用バッファメモリと、前記記録媒体に対する情報の記録時に用いられる入力用バッファメモリとを有することを特徴とする請求項９記載の情報記録再生装置。
【請求項１２】
前記コントローラは、前記記録媒体に対する情報の記録時に用いられるバッファメモリに所定量の情報が蓄積されておらず、かつ、前記記録媒体に対する情報の再生時に用いられるバッファメモリに所定量の容量が空いていない場合に、前記ウエイト状態とすることを特徴とする請求項９乃至１１のいずれか一項に記載の情報記録再生装置。
【請求項１３】
前記記録媒体上において、情報が記録される領域と情報が再生される領域は異なることを特徴とする請求項９乃至１２のいずれか一項に記載の情報記録再生装置。
【請求項１４】
記録及び再生される情報は、映像データであることを特徴とする請求項９乃至１３のいずれか一項に記載の情報記録再生装置。
【請求項１５】
ホストコンピュータと、出力装置と、入力装置と、請求項９乃至１４のいずれか一項に記載の情報記録再生装置とを備えたシステムであって、
前記ホストコンピュータからの指示に基づいて、前記入力装置は、前記記録媒体に記録する情報を前記情報記録再生装置に入力し、前記情報記録再生装置は、前記記録媒体に記録されている情報を前記出力装置に出力することを特徴とするシステム。
【請求項１６】
前記ホストコンピュータと、前記出力装置と、前記入力装置とは、同一の筐体に収納されていることを特徴とする請求項１５記載のシステム。
【手続補正３】
【補正対象書類名】明細書
【補正対象項目名】０００１
【補正方法】変更
【補正の内容】
【０００１】
【発明の属する技術分野】
この発明は、音声情報等の各種情報を記録可能なＣＤ−Ｒ，ＣＤ−ＲＷ等の情報記録媒体（メディア）に対して情報の記録，再生を行う情報記録再生装置と、その情報記録媒体に対する情報記録再生方法と、その情報記録再生処理プログラムを記録したコンピュータ読み取り可能な記録媒体とシステムに関する。
【手続補正４】
【補正対象書類名】明細書
【補正対象項目名】００２４
【補正方法】変更
【補正の内容】
【００２４】
さらに、記録媒体に記録された情報を再生する情報再生機能と、情報を入力する情報入力機能と、上記情報再生機能によって再生された情報を出力前に出力情報一時記憶領域へ一時的に蓄え、上記情報入力機能によって入力された情報を記録前に記録情報一時記憶領域へ一時的に蓄える情報記憶機能と、上記出力情報一時記憶領域に蓄えた情報を出力する情報出力機能と、上記記録情報一時記憶領域に蓄えた情報を上記記録媒体に記録する情報記録機能と、上記出力情報一時記憶領域からの情報の読み出しが途切れないように上記出力情報一時記憶領域に常に所定量の情報が残るようにしながら上記情報を出力する速度よりも速く且つ断続的に上記記録媒体の情報を再生し、上記記録情報一時記憶領域への情報の書き込みが出来なくならないように上記記録情報一時記憶領域に常に所定量の空き領域を保つようにしながら上記情報を入力する速度よりも速く且つ断続的に上記記録媒体に情報を記録し、上記記録媒体の情報を再生しながら上記記録媒体への情報の記録を行い、上記記録媒体への情報の記録先領域を上記再生した情報の格納領域とは異ならせ、又は上記記録媒体への情報の記録先領域を上記再生した情報の格納領域と同一にさせる情報記録再生制御機能とをコンピュータに実現させる情報記録再生処理プログラムを記録したコンピュータ読み取り可能な記録媒体も提供する。
また、入力される情報を一時的に蓄積するバッファメモリと、上記バッファメモリと接続され、記録媒体に対する情報の再生及び記録を兼用する情報再生記録部と、上記情報再生記録部を制御するコントローラを備え、上記記録媒体から情報を再生する場合、上記情報再生記録部で読み取った情報は上記バッファメモリに一時的に入力された後出力され、上記記録媒体に情報を記録する場合、情報は上記バッファメモリに一時的に蓄積された後、上記情報再生記録部に出力されて上記記録媒体に情報の記録が行われる情報記録再生装置であって、上記記録媒体からの情報再生時に上記情報再生記録部から上記バッファメモリへ入力されるデータの転送速度が上記バッファメモリから出力されるデータの転送速度よりも速く、上記記録媒体に対する情報記録時に上記バッファメモリから上記情報再生記録部へ出力されるデータの転送速度が上記バッファメモリに入力されるデータの転送速度よりも速い場合、上記コントローラは、断続的に上記記録媒体に対する連続する情報の記録を行う動作及び前記記録媒体に対する情報の記録が行われていないときに行われる上記記録媒体からの連続する情報を再生する動作を繰り返し行わせ、上記記録媒体に対する情報の再生及び記録を行わないウエイト状態のときでも、上記バッファメモリからのデータの出力を継続して行い、同一の上記記録媒体に対する情報の再生及び記録を同時期に実行する情報記録再生装置を提供する。
さらに、上記のような情報記録再生装置において、上記バッファメモリを、上記記録媒体に対する情報の再生時及び記録時においてそれぞれ異なる領域が使用されるようにするとよい。
また、上記のような情報記録再生装置において、上記バッファメモリは、上記記録媒体に対する情報の再生時に用いられる出力用バッファメモリと、上記記録媒体に対する情報の記録時に用いられる入力用バッファメモリを有するようにするとよい。
さらに、上記のような情報記録再生装置において、上記コントローラは、上記記録媒体に対する情報の記録時に用いられるバッファメモリに所定量の情報が蓄積されておらず、かつ、上記記録媒体に対する情報の再生時に用いられるバッファメモリに所定量の容量が空いていない場合に、上記ウエイト状態とするようにするとよい。
また、上記のような情報記録再生装置において、上記記録媒体上において、情報が記録される領域と情報が再生される領域は異なるようにするとよい。
さらに、上記のような情報記録再生装置において、記録及び再生される情報は、映像データにするとよい。
また、ホストコンピュータと、出力装置と、入力装置と、上記のような情報記録再生装置を備えたシステムであって、上記ホストコンピュータからの指示に基づいて、上記入力装置は、上記記録媒体に記録する情報を上記情報記録再生装置に入力し、上記情報記録再生装置は、上記記録媒体に記録されている情報を上記出力装置に出力するシステムを提供する。
さらに、上記のようなシステムにおいて、上記ホストコンピュータと、上記出力装置と、上記入力装置とを、同一の筐体に収納するようにするとよい。
【手続補正５】
【補正対象書類名】明細書
【補正対象項目名】０１６１
【補正方法】変更
【補正の内容】
【０１６１】
【発明の効果】
以上説明してきたように、この発明の情報記録再生装置と情報記録再生方法と情報記録再生処理プログラムを記録したコンピュータ読み取り可能な記録媒体とシステムによれば、記録媒体に記録された情報を再生して途切れなく出力すると共に、その再生と平行して同じ記録媒体への情報の記録を途切れなく行えるようにすることができる。